(57)【要約】【課題】治具を用いてランスを撓ませて端子金具を端子収容部から取り外す際に、端子金具が損傷することを防ぐ。【解決手段】本発明は、雄端子２０を内部に収容する端子収容部３０、および相手側コネクタを内部に嵌合可能なフード部４０を互いに組み付けてなる雄ハウジング１１と、撓み可能に設けられ、雄端子２０を端子収容部３０の内部に保持させるランス１５と、を備えた雄コネクタ１０であって、ランス１５を治具で撓ませることによって雄端子２０の保持が解除可能とされており、雄ハウジング１１は、相手側コネクタとの嵌合方向と交差する方向に端子収容部３０を回転させてランス１５を外部に臨ませる回転機構部を備えている構成としたところに特徴を有する。【選択図】図１２
2014032916.tif 000002
【特許請求の範囲】
【請求項１】
端子金具を内部に収容する端子収容部、および相手側コネクタを内部に嵌合可能なフード部を互いに組み付けてなるハウジングと、
撓み可能に設けられ、前記端子金具を前記端子収容部の内部に保持させるランスと、を備えた防水コネクタであって、
前記ランスを治具で撓ませることによって前記端子金具の保持が解除可能とされており、
前記ハウジングは、前記相手側コネクタとの嵌合方向と交差する方向に前記端子収容部を回転させて前記ランスを外部に臨ませる回転機構部を備えていることを特徴とする防水コネクタ。
【請求項２】
前記ハウジングは、前記フード部から離間する方向に前記端子収容部を案内するガイド部を備え、前記端子収容部は、前記ガイド部によって前記フード部から離間した後に前記回転機構部によって回転することを特徴とする請求項１に記載の防水コネクタ。
【請求項３】
前記端子収容部は、一対の前記ガイド部によって両側から挟まれた状態で案内され、一対の前記回転機構部によって両側から軸支された状態で回転することを特徴とする請求項２に記載の防水コネクタ。
【請求項４】
前記ガイド部は、前記端子収容部を前記フード部から離間させる方向に延びるガイド溝と、このガイド溝の終端部に連設された逃がし溝とを備えて構成され、前記回転機構部は、前記ガイド溝に収容され同ガイド溝の終端部で軸支される回転軸と、前記回転軸を中心とする回転動作によって前記逃がし溝に収容される突起とを備えて構成されていることを特徴とする請求項３に記載の防水コネクタ。
【請求項５】
前記ガイド溝は、前記回転軸を収容する第１ガイド溝と、前記突起を収容する第２ガイド溝とが並設された構成とされ、前記逃がし溝は、前記第２ガイド溝の終端部に連設されていることを特徴とする請求項４に記載の防水コネクタ。
【請求項６】
前記回転機構部は、前記回転軸を中心とする回転動作によって前記第１ガイド溝に嵌まり込んで係止することにより前記端子収容部を所定の回転角度で保持させる保持突起を備えて構成されていることを特徴とする請求項５に記載の防水コネクタ。
【発明の詳細な説明】
【技術分野】
【０００１】
本発明は、防水コネクタに関する。
【背景技術】
【０００２】
従来、複数のキャビティを個別に防水する防水コネクタとして、例えば、下記特許文献１に記載のものが知られている。この防水コネクタは、雄端子などの端子金具を内部に収容するキャビティが形成された端子収容部と、相手側コネクタを内部に嵌合可能なフード部とを互いに組み付けた構成とされている。端子収容部とフード部の間には、シート状のシール部材が挟持されている。このシール部材には、各キャビティの位置に対応して端子金具の接触部を挿通させる挿通孔が貫通して形成されている。このため、端子収容部とフード部の間をキャビティ毎に個別に防水することができる。また、端子収容部の内部には、端子金具を保持するランスが形成されている。
【先行技術文献】
【特許文献】
【０００３】
【特許文献１】特開２００６−１４７２５４号公報
【発明の概要】
【発明が解決しようとする課題】
【０００４】
ところで、上記の防水コネクタにおいてメンテナンスなどの理由により端子金具を端子収容部から取り外したい場合には、フード部を端子収容部から取り外してランスを外部に臨ませた上で、治具を用いてランスを撓ませて端子金具を取り外す必要がある。しかしながら、例えば、端子金具の接触部を挿通孔に挿入する挿入方向に対して斜め方向に端子収容部を引き抜いた場合、接触部が挿通孔の内壁に強く接触するなどして損傷するおそれがある。
【０００５】
この対策として、例えば、フード部を端子収容部から取り外すのではなくフード部の奥壁に治具挿入用の孔を設けてこの孔から治具を挿入する方法も考えられる。しかしながら、フード部を有するコネクタにおいては、相手側コネクタが傾いた姿勢でフード部内に進入してきた際に、相手側コネクタが接触部に接触しないようにフード部を長めに形成しているため、治具を挿入しづらくなるばかりか、挿入の際に治具が接触部に接触してしまい、接触部が損傷するおそれすらある。
【０００６】
本発明は上記のような事情に基づいて完成されたものであって、治具を用いてランスを撓ませて端子金具を端子収容部から取り外す際に、端子金具が損傷することを防ぐことを目的とする。
【課題を解決するための手段】
【０００７】
本発明は、端子金具を内部に収容する端子収容部、および相手側コネクタを内部に嵌合可能なフード部を互いに組み付けてなるハウジングと、撓み可能に設けられ、端子金具を端子収容部の内部に保持させるランスと、を備えた防水コネクタであって、ランスを治具で撓ませることによって端子金具の保持が解除可能とされており、ハウジングは、相手側コネクタとの嵌合方向と交差する方向に端子収容部を回転させてランスを外部に臨ませる回転機構部を備えている構成としたところに特徴を有する。
【０００８】
このような構成によると、回転機構部によって端子収容部を回転させてランスを外部に臨ませることができる。この後、ランスに向けて治具を挿入し、ランスを治具で撓ませることによって端子金具を端子収容部から取り外すことができる。また、フード部の前方から治具を挿入しなくてもよいため、端子金具の損傷を防ぐことができる。
【０００９】
本発明の実施の態様として、以下の構成が好ましい。
ハウジングは、フード部から離間する方向に端子収容部を案内するガイド部を備え、端子収容部は、ガイド部によってフード部から離間した後に回転機構部によって回転する構成としてもよい。
例えば、タブを有する雄端子などを端子金具として使用する場合、フード部からタブを引き抜いた後に端子収容部を回転させる必要がある。上記の構成によると、ガイド部によって端子収容部をフード部から離間させることができるため、回転機構部によって端子収容部を回転させる際に、端子金具とフード部が干渉することを回避できる。
【００１０】
端子収容部は、一対のガイド部によって両側から挟まれた状態で案内され、一対の回転機構部によって両側から軸支された状態で回転する構成としてもよい。
このような構成によると、端子収容部を一対のガイド部によって両側から挟むことができるため、安定した姿勢で端子収容部を案内することができる。また、端子収容部を一対の回転機構部によって両側から軸支することができるため、安定して端子収容部を回転させることができる。
【００１１】
ガイド部は、端子収容部をフード部から離間させる方向に延びるガイド溝と、このガイド溝の終端部に連設された逃がし溝とを備えて構成され、回転機構部は、ガイド溝に収容され同ガイド溝の終端部で軸支される回転軸と、回転軸を中心とする回転動作によって逃がし溝に収容される突起とを備えて構成されているものとしてもよい。
このような構成によると、回転軸がガイド溝に進入することにより端子収容部をフード部から離間する方向に案内することができる。また、回転軸がガイド溝の終端部に至ると、突起が逃がし溝に進入することで、回転軸を中心として端子収容部を回転させることができる。
【００１２】
ガイド溝は、回転軸を収容する第１ガイド溝と、突起を収容する第２ガイド溝とが並設された構成とされ、逃がし溝は、第２ガイド溝の終端部に連設されている構成としてもよい。
このような構成によると、回転軸を第１ガイド溝に進入させ、突起を第２ガイド溝に進入させることにより、端子収容部をフード部から離間する方向に安定して案内することができる。また、逃がし溝に連なる第２ガイド溝を第１ガイド溝と別に形成したから、回転軸が誤って逃がし溝に進入することを回避できる。
【００１３】
回転機構部は、回転軸を中心とする回転動作によって第１ガイド溝に嵌まり込んで係止することにより端子収容部を所定の回転角度で保持させる保持突起を備えて構成されている構成としてもよい。
このような構成によると、保持突起を第１ガイド溝に係止させることにより、端子収容部を所定の回転角度に保持することができ、治具をランスに向けて挿入しやすくなる。
【発明の効果】
【００１４】
本発明によれば、治具を用いてランスを撓ませて端子金具を端子収容部から取り外す際に、端子金具が損傷することを防ぐことができる。
【図面の簡単な説明】
【００１５】
【図１】雄コネクタと雌コネクタを正規に嵌合させた状態を示す断面図
【図２】端子挿入位置にある端子収容部に雄端子を挿入する前の状態を示す断面図
【図３】端子挿入位置にある端子収容部に雄端子を挿入した後の状態を示す断面図
【図４】雄コネクタの断面図
【図５】雌コネクタの断面図
【図６】端子収容部をフード部に組み付ける前の状態を示した断面図
【図７】図６の状態から端子収容部を端子挿入位置に組み付けた状態を示した断面図
【図８】図６の状態から端子収容部を本係止位置にくみつけた状態を示した断面図
【図９】図６の状態から端子収容部を治具挿入位置に組み付けた状態であって、端子収容部を回転させる前の状態を示した断面図
【図１０】図６の状態から端子収容部を治具挿入位置に組み付けた状態であって、端子収容部を回転させた後の状態を示した断面図
【図１１】図４の状態から端子収容部を治具挿入位置まで引き抜いた状態を示した断面図
【図１２】図１１の状態から端子収容部を回転させた状態を示した断面図
【図１３】フード部を後方（端子収容部側）から見た背面図
【図１４】雌コネクタの正面図
【発明を実施するための形態】
【００１６】
＜実施形態＞
本発明の実施形態を図１ないし図１４の図面を参照しながら説明する。本実施形態の防水コネクタは雄端子２０を備えた雄コネクタ１０であって、図１に示すように、相手側コネクタである雌コネクタ５０と嵌合可能とされている。なお、以下の説明において前後方向は両コネクタ１０，５０の嵌合方向を基準として、互いの嵌合面側を前側とする。
【００１７】
雌コネクタ５０は、図５に示すように、略方形のブロック状をなす雌ハウジング５１を有している。雌ハウジング５１の内部には、前後方向に貫通する形態で複数のキャビティ５２が形成されている。キャビティ５２の内部には、雌端子６０が収容されている。雌端子６０は、角筒状をなす箱部６１と、この箱部６１の後方に形成された電線接続部６２とを備えて構成されている。電線接続部６２は、電線Ｗの芯線に圧着されるワイヤバレル部６３と、電線Ｗの絶縁被覆に圧着されるインシュレーションバレル部６４とからなる。インシュレーションバレル部６４は、ゴム栓６５とともに電線Ｗの絶縁被覆に圧着されている。
【００１８】
キャビティ５２の内部には、雌端子６０を保持するランス５３が形成されている。このランス５３は、キャビティ５２の内壁上面から片持ち状をなして斜め下前方に突出する形態をなしている。雌ハウジング５１の前面には、フロントリテーナ７０が嵌着されている。このフロントリテーナ７０は、雌ハウジング５１の前面に対向して配される前壁部７１と、前壁部７１の周縁から後方に延びる側壁部７４とを備えて構成されている。
【００１９】
前壁部７１には、シール筒部収容孔７２が貫通して形成されている。シール筒部収容孔７２は、前側に向かうほど開口が大きくなる誘導面を備えて構成されている。このため、両コネクタ１０，５０を嵌合させると、雄端子２０の後述するタブ２１の先端部が誘導面に摺接しながらシール筒部収容孔７２に案内され、雌端子６０の箱部６１に嵌合する。これにより、箱部６１の内部に形成された弾性接触片６６が雄端子２０のタブ２１に弾性的に接触し、両端子２０，６０が導通可能に接続される。
【００２０】
前壁部７１の後面には、ランス５３の撓み空間に進入してランス５３の撓みを防止する撓み防止片７３が形成されている。撓み防止片７３は、各キャビティ５２の各ランス５３に対応して複数設けられている。また、フロントリテーナ７０の前壁部７１と雌ハウジング５１の前面との間には、図１に示すように、雌側シール部材８０が挟持されている。この雌側シール部材８０には、シール筒部収容孔７２と撓み防止片７３を一括して挿通させる孔が複数形成されている。雌側シール部材８０がフロントリテーナ７０の前壁部７１と雌ハウジング５１の前面との間で挟持された状態では、全てのキャビティ５２がそれぞれ個別に防水された状態となる。
【００２１】
雌ハウジング５１の上面には、ロックアーム５４が設けられている。ロックアーム５４の前端部には、下方に突出するロック突部５５が形成され、このロック突部５５の後方に連なってロック孔５６が形成されている。なお、フード部４０の下面には、ボディなどに固定されたブラケット（図示せず）に接続されるブラケット接続部４９が設けられている。両コネクタ１０，５０を嵌合させた状態で、ブラケットにブラケット接続部４９を接続することで、両コネクタ１０，５０がボディなどに取り付け固定される。
【００２２】
雄コネクタ１０は、図４に示すように、雄端子２０を内部に収容した合成樹脂製の雄ハウジング１１を有しており、この雄ハウジング１１は、端子収容部３０とフード部４０を互いに組み付けることで構成されている。雄ハウジング１１の内部には、前後方向に貫通する形態で複数のキャビティ１２が形成されている。キャビティ１２には、雌端子６０が収容されている。
【００２３】
雄端子２０は、雌端子６０の箱部６１に嵌合するタブ２１と、このタブ２１の後方に連なる本体部２２と、この本体部２２の後方に連なる電線接続部２３とを備えて構成されている。電線接続部２３は、電線Ｗの芯線に圧着されるワイヤバレル部２４と、電線Ｗの絶縁被覆に圧着されるインシュレーションバレル部２５とからなる。インシュレーションバレル部２５は、ゴム栓２６とともに電線Ｗの絶縁被覆に圧着されている。
【００２４】
キャビティ１２の前止まり部１３は、フード部４０の奥壁４１によって構成されている。前止まり部１３は、雄端子２０におけるタブ２１と本体部２２との間に形成されたつなぎ部２７に前方から当接することで雄端子２０の前方への移動を防止している。この前止まり部１３は、フード部４０の奥壁４１の一部を前方に膨出させた形態とされている。また、前止まり部１３の前方には、シール筒部１４が連設されている。シール筒部１４は、シール筒部収容孔７２に嵌合する。シール筒部１４の内部には、タブ２１を挿通させるタブ挿通孔１８が前後方向に貫通して形成されている。タブ２１は、シール筒部収容孔７２に嵌合したシール筒部１４を貫通して前方に突出し、この前方に突出した部分が雌端子６０の箱部６１に嵌合する。
【００２５】
キャビティ１２のうち前止まり部１３より後方部分は、端子収容部３０によって構成されている。端子収容部３０の内部には、雄端子２０を保持するランス１５が形成されている。このランス１５は、キャビティ１２の内壁上面から片持ち状をなして斜め下前方に突出する形態をなしている。また、フード部４０の奥壁４１には、ランス１５の撓み空間に進入してランス１５の撓みを防止するリテーナ４２が形成されている。リテーナ４２は、各キャビティ１２の各ランス１５に対応して複数設けられている。これにより、リテーナ４２は、ランス１５の撓み空間に進入してランス１５とともに雄端子２０を二重に抜け止めする。
【００２６】
また、フード部４０の奥壁４１と端子収容部３０の前面との間には、図４に示すように、雄側シール部材８１が挟持されている。この雄側シール部材８１には、前止まり部１３とリテーナ４２を一括して覆う孔が複数形成されている。雄側シール部材８１がフード部４０の奥壁４１と端子収容部３０の前面との間で挟持された状態では、全てのキャビティ１２がそれぞれ個別にシールされた状態となる。
【００２７】
端子収容部３０の上下面には、それぞれ複数の係止突起３１が形成されている。一方、フード部４０の奥壁４１における上縁および下縁には、複数の係止突起３１に係止することで端子収容部３０とフード部４０を一体に組み付けて保持する複数の係止片４３が形成されている。係止突起３１と係止片４３を係止させた状態では、雄側シール部材８１が端子収容部３０の前面とフード部４０の奥壁４１との間で挟持された状態に保持される。これにより、全てのキャビティ１２がそれぞれ個別に防水された状態になる。したがって、図４に示すように、例えば、上側のキャビティ１２に雄端子２０を収容し、下側のキャビティ１２に雄端子２０を収容しない場合であっても、各キャビティ１２はいずれも防水された状態に保持される。
【００２８】
フード部４０の上面には、ロックアーム５４のロック突部５５と係止して両コネクタ１０，５０を正規嵌合状態に保持するロック受け部４４が形成されている。両コネクタ１０，５０を正規嵌合させた状態では、図１に示すように、ロック受け部４４がロックアーム５４のロック孔５６に嵌まり込んでロック突部５５と係止した状態となる。このとき、雄コネクタ１０のシール筒部１４は、雌コネクタ５０のシール筒部収容孔７２を貫通して雌側シール部材８０の孔に嵌合する。雌側シール部材８０の孔の内周面は、シール筒部１４の外周面に対して全周に亘って密着する。したがって、両コネクタ１０，５０の間から各キャビティ１２，５２に水が浸入することを防止できる。この結果、各キャビティ１２，５２は、個別に防水された状態となる。このようにすれば、例えば、アルミ電線を使用するキャビティのみを防水して、銅電線を使用するキャビティは防水しないようにすることもできる。
【００２９】
さて、本実施形態の雄コネクタ１０は、端子収容部３０をフード部４０の後方に平行移動（スライド）させるように案内する一対のガイド壁１６を備えている。ガイド壁１６は、図１３に示すように、フード部４０の奥壁４１における左右両側縁から後方に延びる板状とされている。両ガイド壁１６は、左右方向に対向して配されており、端子収容部３０を左右両側から挟んで案内可能とされている。ガイド壁１６の内側面（対向面）には、前後方向に延びる３本の溝が並設されている。これらの溝のうち最も上側に位置するものは第２ガイド溝４５とされ、真ん中に位置するものは第１ガイド溝４６とされ、最も下側に位置するものは保持溝４７とされている。なお、ガイド壁１６の上下両側縁には、図１３に示すように、上下一対の補強リブ１７が内向きに形成されており、これらの補強リブ１７によってガイド壁１６の開き変形が抑制されている。
【００３０】
一方、一対のガイド壁１６によって両側から挟まれる端子収容部３０の両側面には、図６に示すように、３つの突起が形成されている。これらの突起のうち最も上側に位置するものは仮係止突起３２とされ、真ん中に位置するものはガイド突起３３とされ、最も下側に位置するものは保持突起３４とされている。ガイド突起３３の突出高さは、仮係止突起３２および保持突起３４の突出高さよりも大きいものとされている。また、保持突起３４の突出高さは、最も小さくものとされている。図８に示すように、ガイド突起３３は第１ガイド溝４６に収容され、仮係止突起３４は第２ガイド溝４５に収容され、保持突起３４は保持溝４７に収容されている。
【００３１】
以下の説明において図７に示す端子収容部３０の位置を端子挿入用仮係止位置といい、図８に示す端子収容部３０の位置を本係止位置といい、図９に示す端子収容部３０の位置を端子離脱用仮係止位置といい、図１０に示す端子収容部３０の位置を端子離脱可能位置というものとする。端子挿入用仮係止位置では、リテーナ４２がランス１５の撓み空間から前方に退避した状態となっており、雄端子２０をキャビティ１２に挿入することが可能となっている。一方、本係止位置では、リテーナ４２がランス１５の撓み空間に進入してランス１５の撓みを阻害しているため、キャビティ１２に収容された雄端子２０は、ランス１５とリテーナ４２によって二重に抜け止めされた状態となっている。
【００３２】
端子収容部３０は、各突起３２，３３，３４が各溝４５，４６，４７に沿って前後方向に移動することにより、図９に示す端子離脱用仮係止位置と、図８に示す本係止位置との間で前後方向に案内され、平行移動可能とされている。端子離脱用仮係止位置と本係止位置の間には、図７に示すように、端子挿入用仮係止位置が設けられている。この端子挿入用仮係止位置では、仮係止突起３２の後方に上下一対の第２抜止突起４５Ａが配されているため、端子収容部３０の後方への移動が抑制され、不用意に端子離脱用仮係止位置へ移動することが回避される。また、端子挿入用仮係止位置では、係止突起３１が係止片４３の先端部に当接することにより、端子収容部３０の前方への移動が抑制され、不用意に本係止位置へ移動することが回避される。
【００３３】
図９に示す端子離脱用仮係止位置では、ガイド突起３３が、第１ガイド溝４６の終端部（後端部）において、上下一対の第１抜止突起４６Ａとその後方に配された抜止壁４６Ｂとによって取り囲まれている。この状態では、端子収容部３０は、前後方向の移動が抑制された状態で、かつ、ガイド突起３３を回転軸として回転可能な状態となる。また、保持突起３４が保持溝４７に嵌まり込んでいるため、端子収容部３０は、水平姿勢のまま保持される。
【００３４】
第２ガイド溝４５の終端部（後端部）には、逃がし溝４８が連設されている。逃がし溝４８は、第２ガイド溝４５の終端部から上方に切り欠かれており、その前端部は弧状をなしている。端子離脱用仮係止位置にある端子収容部３０を図１０に示す矢線方向へ回転させると、ガイド突起３３を回転軸として仮係止突起３２が逃がし溝４８に収容され、端子収容部３０が端子離脱可能位置に至る。これと併行して、保持突起３４が保持溝４７から乗り上げて両ガイド壁１６を開き変形させるとともに、第１ガイド溝４６に至ると両ガイド壁１６が復帰変形して保持突起３４が第１ガイド溝４６に勢いよく嵌まり込む。このとき、保持突起３４が第１ガイド溝４６の側壁に係止することにより、端子収容部３０が所定の回転角度で保持される。
【００３５】
なお、端子離脱用仮係止位置においても、ランス１５の係止解除用の治具（図示せず）をランス１５に向けて挿入し、ランス１５を撓ませて雄端子２０を端子収容部３０から取り外すことは可能である。しかしながら、図１０に示す端子離脱可能位置では、ランス１５が斜め上方を向いて外部に臨んだ状態となっているため、端子離脱用仮係止位置よりもランス１５に向けて治具を挿入しやすくなっており、ランス１５を目で見ながら撓ませて係止解除を容易に行うことができるようになっている。
【００３６】
本実施形態は以上のような構成であって、続いてその作用を説明する。まず、端子収容部３０に雄端子２０を挿入する際には、図２に示すように、端子収容部３０を端子挿入用仮係止位置にセットしておく。雄端子２０を端子収容部３０の後方からキャビティ１２に挿入すると、ランス１５が雄端子２０の本体部２２に乗り上げる。そして、図３に示すように、雄端子２０が正規の挿入位置に至ると、タブ２１がシール筒部１４のタブ挿通孔１８に挿通されるとともに、ランス１５が弾性的に復帰して本体部２２の後端部に後方から係止する。これにより、雄端子２０がキャビティ１２（端子収容部３０の内部）に保持される。
【００３７】
次に、端子収容部３０を本係止位置に向けて押し込むと、係止突起３１に係止片４３が乗り上げ、さらに端子収容部３０を押し込んでいくと、図４に示すように、つなぎ部２７が前止まり部１３に収容され、雄側シール部材８１がフード部４０の奥壁４１と端子収容部３０の前面との間に挟持される。これに伴って、端子収容部３０の押し込み動作が停止されるとともに、係止片４３が弾性的に復帰して係止突起３１と前後方向に係止した状態となる。これにより、端子収容部３０とフード部４０が一体化されて雄ハウジング１１が形成され、雄コネクタ１０が完成する。
【００３８】
次に、両コネクタ１０，５０を嵌合させるには、雌ハウジング５１をフード部４０の内部に嵌合させ、雄端子２０のタブ２１がシール筒部収容孔７２を通って雌端子６０の箱部６１に嵌合していく。これと併行して、ロックアーム５４のロック突部５５がロック受け部４４に乗り上げ、シール筒部１４が雌側シール部材８０の孔に嵌合するとともに、シール筒部収容孔７２に嵌合していく。図１に示すように、両コネクタ１０，５０が正規嵌合状態に至ると、ロックアーム５４が弾性的に復帰してロック受け部４４がロック孔５６に勢いよく嵌まり込む。この状態では、ロック突部５５とロック受け部４４が前後方向に係止することにより、両コネクタ１０，５０が正規嵌合状態に保持される。また、各キャビティ１２，５２は、各シール部材８０，８１によって個別に防水される。
【００３９】
ここで、例えば、メンテナンスなどの理由により雄端子２０を端子収容部３０から取り外したい場合には、図４に示すように、両コネクタ１０，５０を離脱させる。次に、端子収容部３０を図８に示す本係止位置から図９に示す端子離脱用仮係止位置まで後方に引き抜く。このとき、各突起３２，３３，３４が各溝４５，４６，４７に沿って後方へ移動することにより、端子収容部３０を水平姿勢のまま後方へ平行移動させることができる。したがって、雄端子２０のタブ２１をタブ挿通孔１８から後方へ引き抜くことができ、タブ２１がタブ挿通孔１８の内壁に強く接触するなどして損傷することを回避できる。
【００４０】
端子離脱用仮係止位置においても治具を斜めから差し込んでランス１５を撓ませることは可能であるが、端子収容部３０を図１０に示す端子離脱可能位置に回転させてから治具を差し込むほうがより簡単にランス１５を撓ませることができる。端子収容部３０を回転させると、保持突起３４が保持溝４７から乗り上げて第１ガイド溝４６に嵌まり込み、端子収容部３０が所定の回転角度に保持されるとともに、仮係止突起３２が逃がし溝４８に進入する。こうして、端子収容部３０は、端子離脱用仮係止位置に保持され、ランス１５の位置を目視で確認しながら治具を挿入し、ランス１５を撓ませることで雄端子２０を端子収容部３０から取り外すことができる。
【００４１】
以上のように本実施形態では、以下のような効果を奏することができる。
本実施形態は、雄端子２０を内部に収容する端子収容部３０と、雌コネクタ５０を内部に嵌合可能なフード部４０とを互いに組み付けてなる雄ハウジング１１を備えた雄コネクタ１０であって、端子収容部３０の内部には、雄端子２０を保持するランス１５が撓み可能に設けられ、治具によってランス１５を撓ませることで雄端子２０の保持が解除されて同雄端子２０を端子収容部３０から取り外し可能とされており、雄ハウジング１１は、雌コネクタ５０との嵌合方向と交差する方向に端子収容部３０を回転させてランス１５を外部に臨ませる回転機構部を備えている構成としたところに特徴を有する。
【００４２】
このような構成によると、回転機構部によって端子収容部３０を回転させてランス１５を外部に臨ませることができる。この後、ランス１５に向けて治具を挿入し、ランス１５を治具で撓ませることによって雄端子２０を端子収容部３０から取り外すことができる。また、フード部４０の前方から治具を挿入しなくてもよいため、雄端子２０の損傷を防ぐことができる。
【００４３】
雄ハウジング１１は、フード部４０から離間する方向に端子収容部３０を案内するガイド壁１６を備え、端子収容部３０は、ガイド壁１６によってフード部４０から離間した後に回転機構部によって回転する構成としてもよい。
このような構成によると、ガイド壁１６によって端子収容部３０をフード部４０から離間させることができるため、回転機構部によって端子収容部３０を回転させる際に、雄端子２０とフード部４０が干渉することを回避できる。
【００４４】
端子収容部３０は、一対のガイド壁１６によって両側から挟まれた状態で案内され、一対の回転機構部によって両側から軸支された状態で回転する構成としてもよい。
このような構成によると、端子収容部３０を一対のガイド壁１６によって両側から挟むことができるため、安定した姿勢で端子収容部３０を案内することができる。また、端子収容部３０を一対の回転機構部によって両側から軸支することができるため、安定して端子収容部３０を回転させることができる。
【００４５】
ガイド壁１６は、端子収容部３０をフード部４０から離間させる方向に延びるガイド溝と、このガイド溝の終端部に連設された逃がし溝４８とを備えて構成され、回転機構部は、ガイド溝の終端部で軸支されるガイド突起３３と、逃がし溝４８に収容されガイド突起３３を中心とする回転動作によって逃がし溝４８に収容される仮係止突起３２とを備えて構成されているものとしてもよい。
このような構成によると、ガイド突起３３がガイド溝に進入することにより端子収容部３０をフード部４０から離間する方向に案内することができる。また、ガイド突起３３がガイド溝の終端部に至ると、仮係止突起３２が逃がし溝４８に進入することで、ガイド突起３３を中心として端子収容部３０を回転させることができる。
【００４６】
ガイド溝は、ガイド突起３３を収容する第１ガイド溝４６と、仮係止突起３２を収容する第２ガイド溝４５とが並設された構成とされ、逃がし溝４８は、第２ガイド溝の終端部に連設されている構成としてもよい。
このような構成によると、ガイド突起３３を第１ガイド溝４６に進入させ、仮係止突起３２を第２ガイド溝４５に進入させることにより、端子収容部３０をフード部４０から離間する方向に安定して案内することができる。また、逃がし溝４８に連なる第２ガイド溝４５を第１ガイド溝４６と別に形成したから、ガイド突起３３が誤って逃がし溝４８に進入することを回避できる。
【００４７】
回転機構部は、ガイド突起３３を中心とする回転動作によって第１ガイド溝４６に嵌まり込んで係止することにより端子収容部３０を所定の回転角度で保持させる保持突起３４を備えて構成されている構成としてもよい。
このような構成によると、保持突起３４を第１ガイド溝４６に係止させることにより、端子収容部３０を所定の回転角度に保持することができ、治具をランス１５に向けて挿入しやすくなる。
【００４８】
＜他の実施形態＞
本発明は上記記述及び図面によって説明した実施形態に限定されるものではなく、例えば次のような実施形態も本発明の技術的範囲に含まれる。
（１）上記実施形態では端子収容部３０を垂直面内で回転させているものの、本発明によると、端子収容部を水平面内で回転させてもよい。
【００４９】
（２）上記実施形態では端子収容部３０をフード部４０の後方へスライドさせてから回転させているものの、本発明によると、端子収容部をスライドさせることなくそのまま回転させるようにしてもよい。
【００５０】
（３）上記実施形態では一対のガイド壁１６によって端子収容部３０を左右両側から挟んで案内するものを例示しているものの、本発明によると、筒状のガイド壁によって端子収容部３０を全周に亘って囲んで案内するものとしてもよい。
【００５１】
（４）上記実施形態では端子収容部３０の回転に伴って仮係止突起３２を逃がし溝４８に進入するようになっているものの、仮係止突起３２を設けない構成とした場合には、逃がし溝４８を設けなくてもよい。
【００５２】
（５）上記実施形態では複数の溝４５，４６，４８によって端子収容部３０を案内するようにしているものの、本発明によると、第１ガイド溝４６のみによって端子収容部３０を案内してもよい。
【００５３】
（６）上記実施形態では端子収容部３０の内部に設けた樹脂製のランス１５によって雄端子２０を端子収容部３０の内部に保持させているものの、本発明によると、雄端子２０に設けた金属ランスによって雄端子２０を端子収容部３０の内部に保持させるようにしてもよい。
【符号の説明】
【００５４】
１０…雄コネクタ（防水コネクタ）
１１…雄ハウジング
１５…ランス
１６…ガイド壁（ガイド部）
２０…雄端子（端子金具）
３０…端子収容部
３１…係止突起（ガイド部）
３２…仮係止突起（ガイド部）
３３…ガイド突起（ガイド部、回転機構部）
３４…保持突起（ガイド部）
４０…フード部
４５…第２ガイド溝（ガイド部）
４６…第１ガイド溝（ガイド部）
４６Ａ…第１抜止突起（回転機構部）
４６Ｂ…抜止壁（回転機構部）
４７…保持溝（ガイド部）
４８…逃がし溝
５０…雌コネクタ（相手側コネクタ）
【図１】
2014032916.tif 000003
【図２】
2014032916.tif 000004
【図３】
2014032916.tif 000005
【図４】
2014032916.tif 000006
【図５】
2014032916.tif 000007
【図６】
2014032916.tif 000008
【図７】
2014032916.tif 000009
【図８】
2014032916.tif 000010
【図９】
2014032916.tif 000011
【図１０】
2014032916.tif 000012
【図１１】
2014032916.tif 000013
【図１２】
2014032916.tif 000014
【図１３】
2014032916.tif 000015
【図１４】
2014032916.tif 000016